(57)【特許請求の範囲】
【請求項１】
複数の摩擦具を具備する熱変色性筆記具用の摩擦具組立体であって、前記摩擦具の各々が摩擦体を有し、１つの前記摩擦具の前記摩擦体の部分に、別の前記摩擦具が着脱可能に取り付けられることによって複数の前記摩擦具が互いに連結し、
当該摩擦具組立体が環状となるように、複数の前記摩擦具が連結可能であり、
前記摩擦具の各々が本体を有し、
前記本体の前端部には、外径が他の部分に比べて小さくなるように形成された嵌合部が形成され、前記本体の後端部近傍の内周面には、複数の突起が形成され、
前記嵌合部を乗り越えるように前記突起が嵌合することを特徴とする熱変色性筆記具用の摩擦具組立体。
【請求項２】
複数の前記摩擦体のうち少なくとも１つに周縁が形成され、複数の前記摩擦体のうち少なくとも別の１つに凸曲面が形成されて、複数の前記摩擦体のうち少なくとも１つが他と異なる形状を有することを特徴とする請求項１に記載の摩擦具組立体。
【請求項３】
複数の前記摩擦体のうち少なくとも１つが他と異なる特性を有することを特徴とする請求項１又は２に記載の摩擦具組立体。
【発明の詳細な説明】
【技術分野】
【０００１】
本発明は、熱変色性筆記具用の摩擦具組立体に関する。
【背景技術】
【０００２】
熱変色性インクを収容したリフィルを有する熱変色性筆記具とは別体であって、当該熱変色性筆記具による筆跡を擦過するための摩擦体（消去部材）を備えた摩擦具（消去具）が公知である（特許文献１）。
【先行技術文献】
【特許文献】
【０００３】
【特許文献１】特開２０１３−１９９１１３号公報
【発明の概要】
【発明が解決しようとする課題】
【０００４】
特許文献１に記載の摩擦具は、未使用時においても、筆跡を擦過する摩擦体の表面が外部に露出していることから、汚れが容易に付着してしまう。また、摩擦体が摩耗によって変形すると、擦過したい筆跡の範囲に応じた擦過ができなくなる。すなわち、例えば摩擦体の角が丸まってしまうと、摩耗前にはできたような微小な範囲の擦過ができなくなる。その結果、摩擦具全体を廃棄せざるを得なくなる。
【０００５】
本発明は、未使用時において、摩擦体の表面が外部に露出していない、熱変色性筆記具用の摩擦具組立体を提供することを目的とする。
【課題を解決するための手段】
【０００６】
本発明の一態様によれば、複数の摩擦具を具備する熱変色性筆記具用の摩擦具組立体であって、前記摩擦具の各々が摩擦体を有し、１つの前記摩擦具の前記摩擦体の部分に、別の前記摩擦具が着脱可能に取り付けられることによって複数の前記摩擦具が互いに連結することを特徴とする熱変色性筆記具用の摩擦具組立体が提供される。
【０００７】
また、別の態様によれば、複数の前記摩擦体のうち少なくとも１つが他と異なる特性を有することを特徴とする摩擦具組立体が提供される。ここで挙げる特性とは、摩擦体の形状、色、硬度、一定の摩擦動作における摩耗量、などをいう。
【０００８】
また、別の態様によれば、前記特性が形状であることを特徴とする摩擦具組立体が提供される。
【０００９】
また、別の態様によれば、当該摩擦具組立体が環状となるように、複数の前記摩擦具が連結可能であることを特徴とする摩擦具組立体が提供される。
【発明の効果】
【００１０】
本発明の態様によれば、未使用時において、摩擦体の表面が外部に露出していない、熱変色性筆記具用の摩擦具組立体を提供することができる。また、摩擦具組立体を環状とすることで、手や指に装着可能で、持ち運びを容易にするとともに装飾具としても用いることができる。
【図面の簡単な説明】
【００１１】
【図１】本発明の実施形態による熱変色性筆記具用の摩擦具組立体の斜視図である。
【図２】図１の摩擦具組立体の縦断面図である。
【図３】第１摩擦具の斜視図である。
【図４】図３の第１摩擦具の縦断面図である。
【図５】第２摩擦具の斜視図である。
【図６】図５の第２摩擦具の縦断面図である。
【図７】第３摩擦具の斜視図である。
【図８】図７の第３摩擦具の縦断面図である。
【図９】図１の摩擦具組立体を変形させた状態の平面図である。
【図１０】図１の摩擦具組立体を変形させた状態の別の平面図である。
【発明を実施するための形態】
【００１２】
以下、図面を参照しながら本発明の実施の形態を詳細に説明する。全図面に渡り、対応する構成要素には共通の参照符号を付す。
【００１３】
図１は、本発明の実施形態による熱変色性筆記具用の摩擦具組立体１の斜視図であり、図２は、図１の摩擦具組立体１の縦断面図である。
【００１４】
ここで熱変色性筆記具とは、例えば、熱変色性インクを収容したリフィルを有するボールペンである。熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクをいう。熱変色性筆記具において、上記第２色を無色とし、第１色（例えば赤）で筆記した描線を昇温させて無色とすることを、ここでは「消去する」ということとする。したがって、描線が筆記された筆記面等に対して後述する摩擦体によって擦過して摩擦熱を生じさせ、それによって描線を無色に変化、すなわち消去させる。なお、当然のことながら上記第２色は、無色以外の有色でもよい。
【００１５】
摩擦具組立体１は、複数の摩擦具２を有している。摩擦具の各々は、筆跡を擦過する摩擦体３と、把持部としての本体４とを有している。本実施形態では、摩擦具組立体１は、４つの第１摩擦具１０と、４つの第２摩擦具２０と、４つの第３摩擦具３０とを有している。第１摩擦具１０は、第１摩擦体１１と、第１摩擦体１１が一端に設けられた第１本体１２とを有している。第２摩擦具２０は、第２摩擦体２１と、第２摩擦体２１が一端に設けられた第２本体２２とを有している。第３摩擦具３０は、第３摩擦体３１と、第３摩擦体３１が一端に設けられた第３本体３２とを有している。なお、本明細書中では、摩擦具の軸線方向において、摩擦体側を「前」側と規定し、摩擦体とは反対側を「後」側と規定する。
【００１６】
摩擦具組立体１では、第１摩擦具１０の後端に第２摩擦具２０の前端が着脱可能に取り付けられ、第２摩擦具２０の後端に第３摩擦具３０の前端が着脱可能に取り付けられ、第３摩擦具３０の後端に別の第１摩擦具１０の前端が着脱可能に取り付けられ、互いに連結している。こうした連結を繰り返すことによって、４つの第１摩擦具１０と、４つの第２摩擦具２０と、４つの第３摩擦具３０とが、全体として環状の摩擦具組立体１を構成している。
【００１７】
摩擦体３を形成する材料として、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物を用いることができ、これを、ＪＩＳ  Ｋ７２０４に規定された摩耗試験（ＡＳＴＭ  Ｄ１０４４）で荷重９．８Ｎ、１０００ｒｐｍ環境下において、テーバー摩耗試験機の摩耗輪ＣＳ−１７でのテーバー摩耗量が１０ｍｇ以上となるように構成し、摩擦体３を形成する。さらに、テーバー摩耗量が１０ｍｇ以上となるように調整するために、摩擦体３の材料に対して、より柔軟性を出すためのアルキルスルフォン酸フェニルエステル、シクロヘキサンジカルボン酸エステル等の環境ホルモンを含まない可塑剤を添加し、安全性を確保してもよい。摩擦体３が、アルキルスルフォン酸フェニルエステル、シクロヘキサンジカルボン酸エステル等の可塑剤を含むことによって、摩擦体３がより摩耗しやすくなるため、紙面を傷めず且つ印刷文字等を掠れさせることなく、筆跡の消去が可能となる。さらに、摩擦体３は、ＪＩＳ  Ｋ６２０３に規定されたデュロメータＤ硬度が３０以上であることが好ましい。それによって、所定の硬さが確保でき、より安定した擦過動作が可能となる。なお、摩擦体３は、タッチペン又はスタイラスペンとしても適用可能である。
【００１８】
本体４は、例えばポリカーボネート樹脂等といった比較的硬質の材料から形成される。また、樹脂材料のみならず金属材料を用いてもよい。また本体４は、摩擦体３と同じ材料で形成してもよい。
【００１９】
図３は、第１摩擦具１０の斜視図であり、図４は、図３の第１摩擦具１０の縦断面図である。第１摩擦具１０は、上述したように、第１摩擦体１１と、第１本体１２とを有している。
【００２０】
第１本体１２は、中心軸線が中間位置で僅かばかり屈曲した円筒状の部材である。第１本体１２は、その前端部に嵌合部１３を有している。嵌合部１３は、閉塞しており、その外径は、他の部分に比べて小さくなるように形成されている。嵌合部１３の外周面には、嵌合凸部１４が環状に形成されている。第１本体１２の後端部は、開口しており、後端部近傍の内周面には、複数の突起１５が形成されている。
【００２１】
第１本体１２の前端部、すなわち嵌合部１３の前端部には、第１摩擦体１１が、接着又は二色成形等によって設けられている。第１摩擦体１１は、嵌合部１３の前端面と同一径の円柱形状の部材である。第１摩擦体１１が円柱形状であることによって、その前端面の周縁１１ａを利用して、筆跡を、線のような細長い範囲、すなわち線状に擦過することが可能となる。
【００２２】
図５は、第２摩擦具２０の斜視図であり、図６は、図５の第２摩擦具２０の縦断面図である。第２摩擦具２０は、上述したように、第２摩擦体２１と、第２本体２２とを有している。
【００２３】
第２本体２２は、中心軸線が中間位置で僅かばかり屈曲した円筒状の部材である。第２本体２２は、その前端部に嵌合部２３を有している。第２本体２２は、嵌合部２３の前端部以外の部分の形状は、第１摩擦具１０の第１本体１２と同一である。したがって、第２本体２２は、環状の嵌合凸部１４及び複数の突起１５を有している。嵌合部２３の前端部は、横断面が正方形の角柱形状である。
【００２４】
第２本体２２の前端部、すなわち嵌合部２３の前端部には、第２摩擦体２１が、接着又は二色成形等によって設けられている。第２摩擦体２１は、嵌合部２３の前端面と同一の正方形の横断面の角柱形状の部材である。第２摩擦体２１が角柱形状であることによって、その前端面の周縁２１ａを利用して、筆跡を線状に擦過することが可能となる。また、第２摩擦体２１の前端面の角部、すなわち頂点１２ｂを利用して、筆跡を、点のような微小な範囲、すなわち点状に擦過することが可能となる。なお、第２摩擦体２１は、横断面が正方形以外の角柱、例えば三角柱や五角柱の形状、さらには三角錐や四角錐等の形状の部材であってもよい。
【００２５】
図７は、第３摩擦具３０の斜視図であり、図８は、図７の第３摩擦具３０の縦断面図である。第３摩擦具３０は、上述したように、第３摩擦体３１と、第３本体３２とを有している。
【００２６】
第３本体３２は、第１摩擦具１０の第１本体１２と同一である。したがって、第３本体３２は、嵌合部１３、環状の嵌合凸部１４及び複数の突起１５を有している。
【００２７】
第３本体３２の前端部、すなわち嵌合部１３の前端部には、第３摩擦体３１が、接着又は二色成形等によって設けられている。第３摩擦体３１は、嵌合部１３の前端面と同一径の円柱形状で且つ前端が半球形状の部材である。第３摩擦体３１の前端が半球形状であることによって、その凸曲面３１ａを利用して、筆跡を、面のような広い範囲、すなわち面状に擦過することが可能となる。なお、第３摩擦体３１は、単に半球形状の部材であってもよい。
【００２８】
第１摩擦具１０と第２摩擦具２０と第３摩擦具３０とが、同一の嵌合凸部１４及び突起１５を有することによって、１つの摩擦具２の前端部の摩擦体３の部分、すなわち嵌合部に、別の摩擦具２の後端部を着脱可能に取り付けることができる。言い換えると、嵌合凸部１４を乗り越えるように突起１５が嵌合することで、着脱可能な連結が可能となる。そのため、第１摩擦具１０と第２摩擦具２０と第３摩擦具３０とを任意に連結させることが可能となり、当然に、同一の摩擦具２、例えば２つの第１摩擦具１０を連結させることが可能となる。
【００２９】
摩擦具２の本体４の中心軸線の屈曲の角度は、摩擦具組立体１を構成する摩擦具２の大きさや数に応じて決定される。すなわち、摩擦具２を同じ大きさと想定した場合、摩擦具組立体１を構成する摩擦具２が少ないほど、屈曲を大きくさせる必要がある。なお、摩擦具２の本体４を屈曲させるのではなく、円弧状に湾曲させるようにして、環状の摩擦具組立体１を構成してもよい。
【００３０】
環状の摩擦具組立体１によれば、未使用時において、１つの摩擦具２の摩擦体３の表面は、別の摩擦具２の本体４内に収容されていることから、摩擦体３の表面が外部に露出せず、したがって、摩擦体３の表面に汚れが付着することもない。また、摩擦具組立体１が全体として環状であることから、摩擦体３に被せる別体のキャップを必要とせず、手軽に持ち運びが可能である。さらに、摩擦具組立体１を環状とすることで、手や指に装着可能で、持ち運びを容易にするとともに装飾具としても用いることができる。
【００３１】
図９は、図１の摩擦具組立体１を変形させた状態の平面図であり、図１０は、図１の摩擦具組立体を変形させた状態の別の平面図である。これらは、摩擦具組立体１の使用状態を例示している。
【００３２】
熱変色性筆記具による筆跡を擦過する場合には、すなわち摩擦具組立体１を使用する場合には、環状の摩擦具組立体１の複数の摩擦具２の中から、任意の摩擦具２を選択し、その前方に配置された摩擦具２との嵌合を解除する。例えば、図９では、環状の摩擦具組立体１の２箇所の嵌合を解除し、２つの第１摩擦具１０の第１摩擦体１１を露出させている。上述したように、円柱形状の第１摩擦体１１の周縁１１ａを用いることによって、線状に擦過することが可能となる。摩擦具組立体１が２つに分割されていることから、より摩耗していない方の第１摩擦体１１を選択したり、より摩耗している方の第１摩擦体１１を選択したりすることが可能である。また、分割された摩擦具組立体１の一方を自分で使用し、他方を他人に貸与することも可能となる。
【００３３】
図１０に示されるように、１箇所の嵌合を解除し、２つの摩擦具２の連結箇所を中心軸線回りに回転させることで、摩擦具組立体１を任意の形状をすることができる。それによって、摩擦具組立体１をより使い易い全体形状に変形させることが可能となる。
【００３４】
また、第１摩擦体１１、第２摩擦体２１及び第３摩擦体３１の中から、線状、点状及び面状のように、擦過したい範囲に応じた摩擦体３の選択がし易いように、本体４を透明な樹脂材料で形成してもよい。それによって、摩擦体３の形状や摩耗状態が外部から視認可能となる。さらに、本体４の外周面の装飾や色によって、摩擦体３の形状等の後述するような特性を示すようにしてもよい。
【００３５】
上述した実施形態では、摩擦具組立体１が、形状が異なる３つのタイプの摩擦具を有していたが、さらに形状が異なる４つ以上のタイプ、又は、２つのタイプの摩擦具を有するようにしてもよい。また、摩擦具組立体をすべて同一の摩擦具で構成してもよい。図９及び図１０に示されるように複数の摩擦具２を連結させた状態で使用するだけでなく、任意の１つの摩擦具２を他から分離し、単体で使用してもよい。
【００３６】
摩擦具組立体が複数の摩擦具から構成されることから、仮に摩擦体が摩耗したとしても、それを含む摩擦具を廃棄する必要は無く、その後も摩擦具組立体を構成する摩擦具として利用でき、また、他の摩擦具の摩擦体を用いて筆跡の擦過を行うことが可能となる。
【００３７】
さらに、複数の摩擦具の摩擦体のうち少なくとも１つの摩擦体が、他の摩擦体と異なる特性を有するようにしてもよい。ここで特性とは、上述した実施形態のような形状のみならず、色や、大きさ、硬度、弾性率、テーバー摩耗量、擦過による熱変色のさせやすさ（消色性能）、一定の摩擦動作における摩耗量等、をいう。これら特性を任意に組み合わせ、摩擦具組立体を構成するすべての摩擦具の摩擦体の間で異ならせてもよく、一部のみ異ならせてもよい。複数の摩擦具の摩擦体のうち少なくとも１つの摩擦体が、他の摩擦体と異なる特性を有するようにした結果、１つの摩擦具組立体で、様々な消去性能を得ることができる。
【００３８】
摩擦具組立体は、環状となるように構成しなくてもよい。例えば、摩擦具組立体が、全体として直線状になるように構成してもよい。摩擦具組立体を環状以外の構成とした場合に、前端に配置される摩擦具の摩擦体を保護するためにキャップを被せてもよい。
【符号の説明】
【００３９】
１    摩擦具組立体
２    摩擦具
３    摩擦体
４    本体
【図１】
0006742110.tif 000002
【図２】
0006742110.tif 000003
【図３】
0006742110.tif 000004
【図４】
0006742110.tif 000005
【図５】
0006742110.tif 000006
【図６】
0006742110.tif 000007
【図７】
0006742110.tif 000008
【図８】
0006742110.tif 000009
【図９】
0006742110.tif 000010
【図１０】
0006742110.tif 000011